(57)【要約】【課題】低デューティの原稿を連続して多量に画像形成した場合、クリーニング時の感光ドラムとクリーニングブレードとの摩擦力が高くなり、クリーニングブレードのめくれやブレード鳴きが発生する。その発生を防止するための従来の技術では、多量のトナーを消費してしまう。【解決手段】感光ドラムの画像形成領域を複数に分割し、各領域の画像形成の状況に応じて、クリーニングのために感光ドラムに付与するトナー量を各領域毎に決定し、その決定された量のトナーを感光ドラムに付与する。その後、クリーニングの動作を実行する。これにより、最小限のトナー消費量で感光ドラムとクリーニングブレード間の摩擦力を均一に低減しクリーニングブレードめくれ及びブレード鳴きの発生を防止できる。【選択図】  図４
2017026757.tif 000002
【特許請求の範囲】
【請求項１】
感光ドラムにレーザ光を走査することにより形成された静電潜像を現像しトナー像を形成する現像手段と、前記トナー像を像担持体に転写する転写手段と、前記転写手段によりトナー像が転写された後に前記感光ドラムに残留するトナーを、回転する前記感光ドラムと接触することでクリーニングするクリーニング手段と、
前記感光ドラムの回転方向に対して、前記像担持体に転写されるトナー像のトナー量に応じた量のクリーニング用トナーを付与する付与手段とを有することを特徴とする画像形成装置。
【請求項２】
前記付与手段は、前記像担持体に転写されるトナー像のトナー量が多くなることに応じて前記付与するクリーニング用トナーの量を少なくすることを特徴とする請求項１に記載の画像形成装置。
【請求項３】
前記クリーニング手段は、
前記感光ドラムに残留するトナーをクリーニングするクリーニングブレードと、
前記クリーニングブレードにより除去されたトナーを収容するトナー容器とを含むことを特徴とする請求項２に記載の画像形成装置。
【請求項４】
前記感光ドラム上の画像が形成される領域を前記レーザ光の走査方向に複数の領域に分割し該複数の領域毎に、像担持体となる記録媒体への画像形成に用いられる画像データに基づいて、形成されるドットの数をカウントする第１のカウント手段と、
前記第１のカウント手段によりカウントされたドットの数を前記複数の領域毎に、前記記録媒体の画像形成にわたって累積する累積手段と、
前記累積手段により累積されたドットの数から、画像が記録される記録媒体の枚数に関して平均のデューティを前記複数の領域毎に算出する算出手段と、
前記算出手段により算出された平均のデューティに基づいて、前記複数の領域毎に前記感光ドラムに付与するトナーの量を決定する決定手段をさらに有することを特徴とする請求項１乃至３のいずれか１項に記載の画像形成装置。
【請求項５】
前記画像形成装置により画像の形成がなされた記録媒体の枚数をカウントする第２のカウント手段と、
前記第２のカウント手段によりカウントされた記録媒体の枚数と予め定められた枚数とを比較する比較手段と、
前記比較手段による比較の結果、前記画像の形成がなされた記録媒体の枚数が前記予め定められた枚数になったと判断された場合、前記算出手段による算出と、前記決定手段による決定と、前記付与手段によるトナーの付与とを行うよう制御する制御手段とをさらに有することを特徴とする請求項４に記載の画像形成装置。
【請求項６】
前記付与手段によるトナーの付与がなされた後、前記累積手段により累積されたドットの数と前記第２のカウント手段によりカウントされた記録媒体の枚数とをクリアするリセット手段をさらに有することを特徴とする請求項５に記載の画像形成装置。
【請求項７】
前記記録媒体の種類が予め定められた種類である場合には、前記付与手段は、前記複数の領域の全てにわたって予め定められた量のトナーを付与することを特徴とする請求項５又は６に記載の画像形成装置。
【請求項８】
前記予め定められた種類とは紙粉が多く出る紙であることを特徴とする請求項７に記載の画像形成装置。
【請求項９】
前記付与手段によるトナーの付与は、前記感光ドラム上に前記レーザ光の走査方向に帯状の画像を形成することによりなされることを特徴とする請求項１乃至８のいずれか１項に記載の画像形成装置。
【請求項１０】
前記付与手段により付与される前記複数の領域毎のトナーの量に基づいて、前記帯状の画像に関し、前記レーザ光の走査方向とは垂直の方向の長さが変化することを特徴とする請求項９に記載の画像形成装置。
【請求項１１】
前記累積手段により累積されたドットの数を記憶する記憶手段をさらに有することを特徴とする請求項４乃至９のいずれか１項に記載の画像形成装置。
【請求項１２】
感光ドラムにレーザ光を走査することにより形成された静電潜像を現像しトナー像を形成する現像手段と、前記トナー像を像担持体に転写する転写手段とを備えた画像形成装置における感光ドラムのクリーニング方法であって、
前記転写手段によりトナー像が転写された後に前記感光ドラムに残留するトナーを、回転する前記感光ドラムと接触することでクリーニングするクリーニング工程と、
前記感光ドラムの回転方向に対して、前記像担持体に転写されるトナー像のトナー量に応じた量のクリーニング用トナーを付与する付与工程とを有することを特徴とする感光ドラムのクリーニング方法。
【発明の詳細な説明】
【技術分野】
【０００１】
本発明は電子写真方式を用いて記録媒体に画像を形成する画像形成装置及び感光ドラムのクリーニング方法に関する。
【背景技術】
【０００２】
電子写真方式に従う画像形成装置では、感光ドラム上に形成したトナー像を転写材に転写する際に、その感光ドラム上に残留したトナーをクリーニングブレードによって除去する機構を備えることが知られている。しかしながら、低デューティの原稿や感光ドラムの片側のみに高デューティの原稿等を連続して多量に転写した場合、感光ドラムとクリーニングブレードとの摩擦力はトナー付着部分よりもトナー未着部分の方が高くなる。このため、摩擦力が高い部分でクリーニングブレードのめくれやブレード鳴きが発生する。
【０００３】
この問題に対処するため、レーザ光の走査方向に感光ドラムを複数領域に分け、その領域毎にレーザ光量を計測しその光量が一定値を越えた場合、該領域の画像非形成領域に一定幅のトナーを付着させることで摩擦力を低減させる技術が提案されている。この技術は、例えば、特許文献１に開示されている。このようにして、クリーニングブレードのめくれやブレード鳴きの発生が防止される。
【先行技術文献】
【特許文献】
【０００４】
【特許文献１】特開平９−０８０９９７号公報
【発明の概要】
【発明が解決しようとする課題】
【０００５】
しかしながら上記従来例では、画像形成領域と判定されると、画像形成のために使用したトナー量に係らず、その領域に対して一定幅のトナーを付着させるため必要以上にトナーを消費したりすることがあった。
【０００６】
本発明は上記従来例に鑑みてなされたものでクリーニングブレードのめくれやブレード鳴きの発生の防止に使用するトナー消費量を最小限に抑えて感光ドラムのクリーニングを良好に実行する画像形成装置及びそのクリーニング方法を提供することを目的とする。
【課題を解決するための手段】
【０００７】
上記目的を達成するために本発明の画像形成装置は次のような構成からなる。
【０００８】
即ち、感光ドラムにレーザ光を走査することにより形成された静電潜像を現像しトナー像を形成する現像手段と、前記トナー像を像担持体に転写する転写手段と、前記転写手段によりトナー像が転写された後に前記感光ドラムに残留するトナーを、回転する前記感光ドラムと接触することでクリーニングするクリーニング手段と、前記感光ドラムの回転方向に対して、前記像担持体に転写されるトナー像のトナー量に応じた量のクリーニング用トナーを付与する付与手段とを有することを特徴とする。
【０００９】
また本発明を別の側面から見れば、感光ドラムにレーザ光を走査することにより形成された静電潜像を現像しトナー像を形成する現像手段と、前記トナー像を像担持体に転写する転写手段とを備えた画像形成装置における感光ドラムのクリーニング方法であって、前記転写手段によりトナー像が転写された後に前記感光ドラムに残留するトナーを、回転する前記感光ドラムと接触することでクリーニングするクリーニング工程と、前記感光ドラムの回転方向に対して、前記像担持体に転写されるトナー像のトナー量に応じた量のクリーニング用トナーを付与する付与工程とを有することを特徴とする感光ドラムのクリーニング方法を備える。
【発明の効果】
【００１０】
従って本発明によれば、トナー像の転写で消費されるトナーの量に応じてクリーニングのために感光ドラムに付与するトナーの量を決定するので、画像形成状況に応じた適切な量のトナーが付与され、感光ドラムのクリーニングを行うことができる。
【００１１】
従って、必要最小限のトナー消費量で感光ドラムとクリーニング手段、例えば、クリーニングブレードと間の摩擦力を均一に低減し、クリーニングブレードめくれやブレード鳴きの発生を防止することができる。
【図面の簡単な説明】
【００１２】
【図１】本発明の代表的な実施例である電子写真方式に従って画像を形成する画像形成装置の概略構成を示した側断面図である。
【図２】図１に示した画像形成部３０の詳細な構成を示す側断面図である。
【図３】画像形成装置の制御構成を示すブロック図である。
【図４】クリーニングのために感光ドラムのレーザ光走査方向に付与されるトナーの量とその方向に沿った記録デューティとの関係を示す図である。
【図５】実施例１に従う黒帯付加処理を示すフローチャートである。
【図６】クリーニングのために感光ドラムのレーザ光走査方向に付与されるトナーの量と各領域との関係を示す図である。
【図７】実施例２に従う黒帯付加処理を示すフローチャートである。
【発明を実施するための形態】
【００１３】
以下添付図面を参照して本発明の好適な実施例について、さらに具体的かつ詳細に説明する。
【００１４】
なお、この明細書において、「記録」（「プリント」という場合もある）とは、文字、図形等有意の情報を形成する場合のみならず、有意無意を問わない。さらに人間が視覚で知覚し得るように顕在化したものであるか否かも問わず、広く記録媒体上に画像、模様、パターン等を形成する、または媒体の加工を行う場合も表すものとする。
【００１５】
また、「記録媒体」（「像担持体」という場合もある）とは、一般的な記録装置で用いられる紙のみならず、広く、布、プラスチック・フィルム、金属板、ガラス、セラミックス、木材、皮革等も含む。
【００１６】
図１は本発明の代表的な実施例である電子写真方式に従って画像を形成する画像形成装置１の構成を示す側断面図である。
【００１７】
画像形成装置１は図１に示すように給紙部２１には記録紙Ｓのような記録媒体を収納するカセット２を有し、カセット２から記録紙をピックアップするピックアップローラ３が配設されている。一方、画像形成装置１には非定型用紙を手差しで給紙するできるマルチパーパストレイ（以下、ＭＰＴ）７を有し、ＭＰＴ７から記録紙を給送するための給紙ローラ９が設けられている。そして、カセット２からの搬送路５とＭＰＴ７からの搬送路１０は合流点Ｃで合流し、その下流には搬送された記録紙はレジストローラ１１に至る。
【００１８】
搬送路５に関し、レジストローラ１１の直前にはレジ前センサ１２が配設されている。レジ前センサ１２は記録紙が接触することにより遮光板が発光部から照射された光を遮ることでその位置に記録紙があることを検知するインタラプティブタイプのセンサである。レジストローラ１１の下流には、半導体レーザ１３からのレーザ光により画像を形成する画像形成部３０が配設されている。さらに、画像形成部３０の下流には定着器１４が配設されており、排紙トレイ１９まで記録紙を搬送する。ＭＰＴ７からの供給された記録紙に対して画像形成をする際には、コントローラ（後述）から画像形成装置１に対して紙種、用紙サイズに関する情報を予め設定するようになっている。
【００１９】
画像形成に際してカセット２またはＭＰＴ７から給送されてきた記録紙は、レジストローラ１１の回転が停止した状態で上流側のローラ４または９によってレジストローラ１１にその先端を押し当てられることにより位置決めされる。そして、ビデオコントローラ（後述）から出力される画像データの垂直同期信号（ＶＳＹＮＣ）に同期してレジストローラ１１の回転を開始させ、コントローラから送られてくる画像データと記録紙との同期をとり、記録紙上の所定の位置に画像を形成する。
【００２０】
定着器１４により画像定着がなされた記録紙は排紙フラッパ８の作用により排紙トレイ１９に排紙するか、両面反転口２０に排出するかが制御される。排紙フラッパ８によって両面反転口２０に排出された用紙を、反転ローラ６を矢印Ａ方向に回転することによって所定量搬送した後、搬送した所定量の記録紙を反転ローラ６が矢印Ｄ方向に回転することによって両面ユニット搬送路へと搬送させる。このようにすることにより両面記録が可能となる。両面ユニット搬送路には記録紙を両面ユニットの所定位置まで搬送し、再度本体側の搬送路へ送り込む搬送ローラ１５、１６が備えられている。
【００２１】
図２は画像形成装置１内の画像形成部３０の構成を示す側断面図である。
【００２２】
画像形成部３０は、半導体レーザ１３から照射されるレーザ光により露光される感光ドラム３１と、感光ドラム３１を帯電させる帯電器３２と、感光ドラム３１上にトナー像を形成する現像部３３と、そのトナー像を記録紙に転写する転写部３４とを備える。さらに、感光ドラム３１上に残留したトナーを除去するクリーニングブレード３５と残留したトナーを回収するトナー容器３６とを備える。
【００２３】
半導体レーザ１３はコントローラ（後述）から取得した画像データに基づいてレーザ光を照射する。半導体レーザ１３により出力されたレーザ光は、ポリゴンミラーにより走査されながら感光ドラム３１を照射し、感光ドラム３１上には走査されたレーザ光に応じた静電潜像が形成される。感光ドラム３１上に形成された静電潜像は現像部３３により現像され、トナー像として可視化される。一方、記録紙Ｓは、カセット２、ＭＰＴ７、両面ユニットの何れかから感光ドラム３１と転写部３４へ搬送される。そして、転写部３４において、可視化された感光ドラム３１上のトナー像が記録紙Ｓに転写される。一方、記録紙Ｓに転写されずに感光ドラム３１に残留したトナーはクリーニングブレード３５によって掻き落とされ、トナー容器３６に回収、収容される。
【００２４】
図３は画像形成装置１の制御構成を示すブロック図である。
【００２５】
図３に示すように、画像形成装置１は画像形成と記録紙の搬送などを実行するエンジン３００と、エンジン３００で画像形成を行うための画像データを処理するコントローラ４００とを備え、それぞれには専用のＣＰＵ３０１、４０１を備えられている。エンジン３００とコントローラ４００とは互いに情報をやり取りするための通信部３０６、４０４を備えている。また、エンジン３００とコントローラ４００には、それぞれのＣＰＵが処理を実行するために用いられるメモリ３０５、４０５が備えられている。
【００２６】
エンジン３００のＣＰＵ３０１は、半導体レーザ１３の動作を制御するとともに、画像形成部３０の各部に印加される電圧を制御する高圧制御回路３０２の動作を制御する。また、ＣＰＵ３０１は記録紙の搬送を行うためのローラに回転駆動力を与える搬送モータ３０３を制御する搬送モータ制御回路３０４の動作を制御する。
【００２７】
コントローラ４００のＣＰＵ４０１は、画像処理や紙情報設定、エンジン３００との通信等に関わる種々の処理を実行する。コントローラ４００は画像形成装置に備えられた操作パネル４０３から設定された紙サイズに基づいて画像形成領域を複数の領域に分割し、画像処理回路４０２で各領域に形成される画像のドットをカウントする。そして、紙サイズ、各領域のドットカウント値から、領域毎の記録デューティを算出する。算出された記録デューティはコントローラ４００の通信部４０４からエンジン３００の通信部３０６へ送信される。
【００２８】
以上の構成の画像形成装置でも、クリーニング動作時に摩擦力の増大によるクリーニングブレードのめくれやブレード鳴きの発生を防止するための方法が講じられている。即ち、レーザ光の走査方向に感光ドラムを複数領域に分け、その領域毎にそれが画像非形成領域であれば一定幅のトナーを付着させるのである。以下に説明する実施例では、従来技術が抱える課題を解決し、そのトナー消費量を最小限に抑える構成について説明する。
【００２９】
さて、感光ドラムとクリーニングブレードとの摩擦力は、画像形成のために使用したトナーの量によって異なる。つまり、使用したトナー量が多いほど摩擦力は低くなるため、摩擦力を低減させるのに必要なトナー量は少なくなる。そこで、以下に説明する実施例では、画像形成のために使用したトナー量が多いほどクリーニング動作時に付着させるトナー量を少なくするようにしている。
【実施例１】
【００３０】
図４はクリーニングのために感光ドラムのレーザ光走査方向に付与されるトナーの量とその方向に沿った記録デューティとの関係を示す図である。
【００３１】
図４に示されるように感光ドラム３１はレーザ光走査方向に同じ幅の１５の領域に分割される。また、図４には画像が２枚の記録紙に形成される例と、その画像に対応して各領域毎の記録デューティが示されている。図４から分かるように、写真のような自然画が形成される領域（領域５〜７）は記録デューティが高く、文字画像が形成される領域（領域９〜１１）は記録デューティが相対的には低く、画像非形成領域は記録デューティは０％である。
【００３２】
コントローラ４００では画像データから記録紙毎にその分割された各領域に形成されるドットの数をカウントし、また、複数枚の記録紙への画像形成にわたって、各領域毎にカウントされた値を累積する。上述のように、算出された記録デューティはエンジン３００に送信され、各領域の記録デューティに従って感光ドラムへの付与するトナー量（黒帯）を決定する。
【００３３】
表１は各領域に対するドットカウント値の例を示している。
【００３４】
［表１］
┌−−−−┬−−−−−−−−−−−−−−┬−−−−−−−−−−−−−┐
｜  領域  ｜１枚当たりのドットカウント値｜ドットカウント累積値（Ｖ）｜
├−−−−┼−−−−−−−−−−−−−−┼−−−−−−−−−−−−−┤
｜    １  ｜            ０              ｜            ０            ｜
├−−−−┼−−−−−−−−−−−−−−┼−−−−−−−−−−−−−┤
｜    ２  ｜            ０              ｜            ０            ｜
├−−−−┼−−−−−−−−−−−−−−┼−−−−−−−−−−−−−┤
｜    ３  ｜            ０              ｜            ０            ｜
├−−−−┼−−−−−−−−−−−−−−┼−−−−−−−−−−−−−┤
｜    ４  ｜            ０              ｜            ０            ｜
├−−−−┼−−−−−−−−−−−−−−┼−−−−−−−−−−−−−┤
｜    ５  ｜        ６３０００          ｜      １５７５０００      ｜
├−−−−┼−−−−−−−−−−−−−−┼−−−−−−−−−−−−−┤
｜    ６  ｜      １８９０００          ｜      ４７２５０００      ｜
├−−−−┼−−−−−−−−−−−−−−┼−−−−−−−−−−−−−┤
｜        ｜                            ｜                          ｜
｜    ・  ｜            ・              ｜            ・            ｜
｜    ・  ｜            ・              ｜            ・            ｜
｜    ・  ｜            ・              ｜            ・            ｜
｜        ｜                            ｜                          ｜
├−−−−┼−−−−−−−−−−−−−−┼−−−−−−−−−−−−−┤
｜  １５  ｜            ０              ｜            ０            ｜
└−−−−┴−−−−−−−−−−−−−−┴−−−−−−−−−−−−−┘
【００３５】
図５は実施例１に従う黒帯付加処理を示すフローチャートである。
【００３６】
黒帯付加処理は操作パネル４０３からその処理（黒帯追加モード）を実行するように事前に設定される。
【００３７】
そのため、画像形成動作が開始されると、ステップＳ１０１で黒帯追加モードの設定を読み出し、ステップＳ１０２では、黒帯追加モードが設定されているか否かを確認する。ここで、黒帯追加モードが設定されていないなら、処理は終了するが、黒帯追加モードが設定されている場合、処理はステップＳ１０３に進む。
【００３８】
ステップＳ１０３では、記録紙１枚に画像を記録する毎に複数に分割した領域毎のドットカウント値をコントローラ４００から取得し、ステップＳ１０４では取得したドットカウント値を領域毎に累積し、累積値（Ｖ）を求める。そして、ステップＳ１０５では、この各領域のドットカウント累積値（Ｖ）をメモリ３０５に保存する。
【００３９】
次に、ステップＳ１０６では記録枚数（Ｎ）をカウントアップ（＋１）し、画像記録が終了するとステップＳ１０７では黒帯追加モードで設定された指定枚数（ＬＮ）分の記録が行われたかどうかを調べる。ここでは、ＮとＬＮとを比較し、その比較の結果、Ｎ≧ＬＮであると判断された場合、処理はステップＳ１０８に進み、Ｎ＜ＬＮであると判断された場合、処理は終了する。ステップＳ１０８では、各領域毎の平均デューティ（Ｖ／Ｎ）を算出する。平均デューティは、各領域のドットカウント累積値（Ｖ）を記録枚数（Ｎ）で割る（Ｖ/Ｎ）ことによって求めることができる。
【００４０】
その後、ステップＳ１０９では、算出した領域毎の平均デューティから、平均デューティの値と黒帯の長さ（Ｌ）との関係を示す表２に示す値に従って領域毎の黒帯の長さを求める。ステップＳ１１０では、各領域毎に設定した長さの黒帯を感光ドラム３１に形成する。なお、図４からも示唆されるように、黒帯の長さ（Ｌ）とは感光ドラム上のレーザ光走査方向とは垂直の方向、即ち、感光ドラムの回転方向の長さであり、黒帯とはレーザ光走査方向に帯状に形成される黒色トナーによる画像である。また、図４に示されるように、黒帯の長さ（Ｌ）はデューティに従って変化していることが分かる。
【００４１】
［表２］
┌−−−−−−−┬−−−−−−−−−−−┐
｜平均デューティ｜    黒帯の長さ（Ｌ）  ｜
├−−−−−−−┼−−−−−−−−−−−┤
｜  ２０％以下  ｜      １０ｍｍ        ｜
├−−−−−−−┼−−−−−−−−−−−┤
｜  ２１〜４０％｜      ７．５ｍｍ      ｜
├−−−−−−−┼−−−−−−−−−−−┤
｜  ４１〜６０％｜      ５．０ｍｍ      ｜
├−−−−−−−┼−−−−−−−−−−−┤
｜  ６１〜８０％｜      ２．５ｍｍ      ｜
├−−−−−−−┼−−−−−−−−−−−┤
｜  ８１％以上  ｜      ０．０ｍｍ      ｜
└−−−−−−−┴−−−−−−−−−−−┘
【００４２】
この実施例では、表２に示すように黒帯の長さ（Ｌ）を２．５ｍｍ間隔で５段階としたが、表２に示す黒帯の長さや領域分割数、記録デューティの区間は一例であり、他の値を用いてもよい。
【００４３】
黒帯形成後、ステップＳ１１１では各領域のドットカウント累積値（Ｖ）を“０”にリセットしてクリアし、ステップＳ１１２では記録枚数（Ｎ）を“０”にリセットしてクリアする。ステップＳ１１３では、クリーニング動作を行い、終了する。
【００４４】
従って以上説明した実施例に従えば、感光ドラムのレーザ光走査方向に沿って分割された領域毎に得られた記録の平均デューティの値に従って付加する黒帯の長さを決定し、その長さでトナーを付与して黒帯を形成する。これにより、クリーニングブレードめくれ及びブレード鳴きの発生を防止するために消費するトナー量を必要最小限に抑えることが可能になる。
【実施例２】
【００４５】
図６はクリーニングのために感光ドラムのレーザ光走査方向に付与されるトナーの量と各領域との関係を示す図である。
【００４６】
図７は実施例２に従う黒帯付加処理を示すフローチャートである。なお、図７において、実施例１において図５を参照して説明したのと同じ処理ステップには同じステップ参照番号を付し、その説明は省略する。ここでは、この実施例に特有の処理ステップについてのみ説明する。
【００４７】
ステップＳ１０１〜Ｓ１０６の処理を実行後、ステップＳ１０７において、Ｎ≧ＬＮであると判断された場合、処理はステップＳ１０７Ａに進み、設定されている記録紙の種類（紙種）を確認する。そして、ステップＳ１０７Ｂでは、確認された紙種が紙粉が多く出る紙（例えば、タルク紙）を使用しているかどうかを調べる。表３は紙種と形成される黒帯の長さとの関係を示す表である。
【００４８】
［表３］
┌−−−−−−−┬−−−−−−−−−−−┐
｜    紙  種    ｜    黒帯の長さ（Ｌ）  ｜
├−−−−−−−┼−−−−−−−−−−−┤
｜    タルク紙  ｜      １０ｍｍ        ｜
└−−−−−−−┴−−−−−−−−−−−┘
【００４９】
ここで、その紙種がタルク紙に設定されている場合、処理はステップＳ１０７Ｃに進み、図６に示すように各領域毎の記録デューティに関係なく全領域に所定の長さの黒帯を形成する。具体的には表３に示すように、１０ｍｍの長さの黒帯を形成する。その後、処理はステップＳ１１１に進む。これに対して、その紙種がタルク紙以外のものに設定されている場合、処理はステップＳ１０８に進み、実施例１で既に説明したようにステップＳ１０８〜Ｓ１１３の処理を実行する。紙粉が多く出る紙の場合、その紙粉をトナーに付着させて回収する必要があるので、平均デューティに依らず多くのトナーを付与したほうがクリーニング効果が高まる。
【００５０】
従って以上説明した実施例に従えば、実施例１に示した効果に加え、紙種に従って適切な長さの黒帯を形成することができる。これにより、紙種の性質に適したクリーニングを行うことが可能になる。
【００５１】
なお、上述した実施例では、単機能の画像形成装置を例として説明したが本発明はこれによって限定されるものではない。例えば、説明した画像形成装置に記録用紙を自動給送するＡＤＦ部を備える画像形成装置やメモリプリント機能を備える画像形成装置、さらにはスキャナ機能を備える多機能の画像形成装置であっても良い。
【００５２】
また、上述した実施例では、累積値（Ｖ）の平均デューティ（Ｖ／Ｎ）を元に、黒帯の長さ（Ｌ）を決定したが、累積値（Ｖ）に比例して黒帯の長さ（Ｌ）を決定しても良い。また、レーザ光の走査方向に複数の領域に分割せずに、ドット単位で黒帯の長さ（Ｌ）を決定しても良い。
【００５３】
また、本発明は上述の実施例の１以上の機能を実現するプログラムをネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００５４】
１  画像形成装置、２  カセット、３  ピックアップローラ、４  給紙ローラ、
５  搬送路（カセット給紙側）、６  反転ローラ、７  多目的トレイ（ＭＰＴ）、
８  排紙フラッパ、９  給紙ローラ、１０  搬送路（ＭＰＴ給紙側）、
１１  レジストローラ、１２  レジ前センサ、１３  半導体レーザ、１４  定着器、
１５〜１６  搬送ローラ、１９  排紙トレイ、２０  両面反転口、
２１  給紙部、３０  画像形成部、３１  感光ドラム、３２  帯電部、３３  現像部、
３４  転写部、３５  クリーニングブレード、３６  トナー容器
【図１】
2017026757.tif 000003
【図２】
2017026757.tif 000004
【図３】
2017026757.tif 000005
【図４】
2017026757.tif 000006
【図５】
2017026757.tif 000007
【図６】
2017026757.tif 000008
【図７】
2017026757.tif 000009